(57)【特許請求の範囲】
【請求項１】
携帯電話機を収納するホルダ部と、
前記ホルダ部を支持する台座と、
前記ホルダ部を前記台座に対して回動可能にする回動可能化手段と、
前記ホルダ部の前記台座に対する回動角度を保持及び固定する保持固定手段と
を備え、
前記携帯電話機が前記ホルダ部に収納されたときの前記携帯電話機と前記ホルダ部との重心が前記台座の面上に存在するように構成され、
前記台座は、
前記台座の底面を形成する底部と、
前記台座の両側面を形成する２つの側壁とを備え、
前記回動可能化手段は、
前記台座の前記２つの側壁における向かい合う面にそれぞれに設けられた軸部と、
前記ホルダ部の両側面に設けられ、前記軸部と嵌合することにより前記ホルダ部が前記台座に対して回動可能になる孔部とを備え、
前記保持固定手段は、
前記ホルダ部の側面における前記孔部の近傍に設けられた凸部と、
前記台座の前記側壁における前記凸部との対向位置に形成された凹部と、
前記凸部が前記凹部に当接するように前記凸部を付勢する弾性手段とを備える
ことを特徴とする卓上充電器ホルダ。
【請求項２】
請求項１に記載の卓上充電器ホルダにおいて、
前記台座の前記２つの側壁は、前記台座の前記底部の両端から前記底部に対して略垂直な方向にのび、
前記回動可能化手段の前記孔部は、前記ホルダ部の両側面のそれぞれの略中央部に設けられることを特徴とする卓上充電器ホルダ。
【請求項３】
請求項１に記載の卓上充電器ホルダにおいて、
前記凹部は、前記台座の前記側壁における前記軸部を中心とした円周上に所定の間隔で複数形成されていることを特徴とする卓上充電器ホルダ。
【発明の詳細な説明】
【技術分野】
【０００１】
本発明は、卓上充電器ホルダ、特にテレビ信号などを受信し視聴する機能を有する携帯電話機用の卓上充電器ホルダに関するものである。
【背景技術】
【０００２】
近年、テレビ信号などを受信し視聴する機能を有する携帯電話機が普及し始めている。通常、携帯電話機の表示部は縦長に形成される。これに対して、ＴＶ画像サイズは横長であるために、テレビ信号を受信し視聴する場合は、携帯電話機を９０度左或いは右に回転させ、即ち表示部を横長にした状態で視聴するように構成されている。また、テレビ信号を受信し視聴をする場合は電力の消費量が多いため、長時間連続して視聴するときには、充電器ホルダに携帯電話機をセットして内蔵の電池（蓄電池など）を充電しながら視聴する必要がある。【０００３】
図６Ａ及び図６Ｂに、従来の卓上充電器ホルダを示す。携帯電話機６２はテレビ信号などを受信し視聴する機能を有するものであり、その表示部６１は通常は縦長で使用するものである。テレビ信号を受信し視聴する場合には、携帯電話機６２を卓上充電器ホルダ６３にセットし、卓上充電器ホルダ６３に付属しているスタンド６４を立てて、表示部６１が見易くなるように、スタンド６４と卓上充電器ホルダ６３との角度を調節する。即ち、携帯電話機６２を卓上充電器ホルダ６３にセットし、表示部６１が見易くなるように、卓上充電器ホルダ６３を寝かせ、倒れないようにスタンド６４が支えるというものである。【０００４】
スタンド６４は、例えばプラスチック樹脂製の板で構成され、通常は卓上充電器ホルダ６３の収納部（図示してはいない）に収納されている。テレビ信号を受信して視聴する場合には、収納部から取り出され、適当な角度にセットできるように構成されている。その他、スタンド６４は、鋼線を折り曲げて長方形の連続する３辺を形成し、これを卓上充電器ホルダ６３に取り付けたものでも良い。【０００５】
この従来の卓上充電器ホルダ６３では、表示部６１を見易い角度にセットしようとすると、スタンド６４の立てる角度によっては携帯電話機６２と卓上充電器ホルダ６３との重心が接地点（卓上充電器ホルダ６３が机等と接している部分）６５の外側に出てしまうため、或いは重心が高い位置にあるため、携帯電話機６２をセットした卓上充電器ホルダ６３が非常に不安定となる。また、スタンド６４が机等の表面上で滑り、卓上充電器ホルダ６３が倒れるという不具合が発生する場合もある。従って、スタンド６４の立てられる角度に制限があり、非常に使い勝手が悪いものであった。【０００６】
文献１（特開平５−３０１６７号）は、携帯電話機を充電装置にセットした後に、そのセットした角度が変えられるものとして注目できる。図７に、文献１に開示されている充電装置について示す。表示操作部７３を備える電子機器７２を蓄電池装着部７６にセットし蓄電池７１を充電する。このとき、表示操作部７３に表示される情報の視認性を良くするために蓄電池装着部７６と筐体７４との角度θが変化できるように構成されている。【０００７】
しかしながら、文献１の充電装置は表示操作部７３が縦長のものを横長になるように電子機器７２をセットできるようには構成されていない。また、蓄電池装着部７６と筐体７４との角度θを変える目的は、当該充電装置の底面を壁に架けたときに表示操作部７３の視認性と操作性を良くするためである。従って、本発明が目的としているようなテレビ信号などを受信し視聴する機能を有する携帯電話機に適用することは意図されていないものである。【０００８】
文献２（特開２００５−７３１４３号）は、テレビ信号などを受信し視聴する機能を有する携帯電話機を充電器にセットした後に、表示画面を９０度回転させて横長にし、テレビ映像などが観られるように構成してある点で注目できる。図８Ａ及び図８Ｂに、その文献２の携帯情報端末装置用ホルダ（充電器）について示す。【０００９】
表示画面８１１を備える携帯電話機８１０は、充電器８１の保持部８２に保持され充電される。このとき、保持部８２は回転機構部８３により支持基台８４に対して３６０度回転できるように構成されている。図８Ｂに示すように、携帯電話機８１０の表示画面８１１は左右に回転することができる。このような構成であれば、テレビ信号などを受信し視聴する機能を有する携帯電話機８１０を当該充電器８１にセットし充電しながら、テレビ信号を受信し視聴することが可能である。【００１０】
しかし、支持基台８４の支持部８４２と基台部８４１との為す角度は固定になっており、表示画面を横長にセットできても、その傾斜角度（仰角）を調整することができず、視認性が悪い場合がある。文献２によれば、保持部８２は、携帯電話機８１０をその表示画面８１１が真正面向きとなるように保持するものであっても良く、この場合、支持部８４２は水平面に対して直立状態に設けると良いと記載されている。【００１１】
即ち、支持部８４２と基台部８４１との為す角度は、充電器８１を製作する際に自由に設定できるが、一旦完成した後にその角度を自由に設定することはできない。従って、一旦角度を決めるとその角度を変更することは容易ではない。然も、仮に文献２の構成で支持部８４２と基台部８４１との為す角度が自由に変えることができたとしても、或る角度によっては重心の位置が支持基台８４より外側になり、安定性が悪いという問題が発生する。加えて、表示画面８１１の中心位置が角度を変えると共に変化するので、例えば見易い角度に設定できても今度は表示画面８１１の中心の位置が高くなりその高さを調整しなければならないといった不具合が発生する。
【発明の開示】
【発明が解決しようとする課題】
【００１２】
従来の卓上充電器ホルダは、携帯電話機をセットしてテレビ信号を受信し視聴する際に、表示画面の角度（仰角）を調整するべく、携帯電話機をセットしたホルダ部（卓上充電器ホルダ）の筐体、支持基台或いは机等に対する角度（仰角）を変えると、表示画面の中心位置が変わり且つ重心の位置が変化する。このため安定性が悪いといった不具合が発生し、使い勝手が非常に悪いものであった。
従って、本発明の目的は、従来技術の問題点を解消し、携帯電話機をセットしたホルダ部の角度（仰角）を変えても表示画面の中心位置が変わらず且つ重心が特定の範囲内に存在して安定であり、使い勝手の良い携帯電話機用の卓上充電器ホルダを提供することにある。
【課題を解決するための手段】
【００１３】
本発明の卓上充電器ホルダは、携帯電話機を収納するホルダ部と、ホルダ部を支持する台座と、ホルダ部を台座に対して回動可能にする回動可能化手段と、ホルダ部の台座に対する回動角度を保持及び固定する保持固定手段とを備え、携帯電話機がホルダ部に収納されたときの携帯電話機とホルダ部との重心が台座の面上に存在するように構成されていることを特徴とする。
【発明の効果】
【００１４】
本発明の卓上充電器ホルダによれば、以下のような優れた効果を発揮する。
（１）携帯電話機をセットしてテレビ信号を受信し視聴する際に、表示画面の角度（仰角）をホルダ部を回動することにより簡単に調整することが可能となる。
（２）携帯電話機をセットしたホルダ部の、筐体、支持基台或いは机等に対する角度（仰角）を変えても、重心の位置は台座の面上或いはホルダの略回動軸上に存在するため、動作の安定性が極めて良好である。
（３）携帯電話機をセットしたホルダ部の角度（仰角）を変えても表示画面の中心位置が略変わらないため、使い勝手の良い携帯電話機用の充電器ホルダを提供できる。
【図面の簡単な説明】
【００１５】
【図１】図１は、本発明の卓上充電器ホルダの第１の実施例に携帯電話機をセットする直前の状態を示す斜視図である。
【図２Ａ】図２Ａは、携帯電話機がセットされた状態における図１に示した卓上充電器ホルダの概略縦断面図である。
【図２Ｂ】図２Ｂは、図２Ａに対応する卓上充電器ホルダの概略横断面図である。
【図３Ａ】図３Ａは、図１に示した卓上充電器ホルダの使用状態を示す斜視図である。
【図３Ｂ】図３Ｂは、図３Ａに対応する概略横断面図である。
【図４】図４は、本発明の卓上充電器ホルダの第２の実施例に携帯電話機をセットする直前の状態を示す斜視図である。
【図５】図５は、携帯電話機がセットされた状態における図４に示した卓上充電器ホルダの概略縦断面図である。
【図６Ａ】図６Ａは、従来の卓上充電器ホルダの斜視図である。
【図６Ｂ】図６Ｂは、図６Ａに示した卓上充電器ホルダの概略横断面図である。
【図７】図７は、携帯電話機のセットする角度が変えられる従来の充電装置の概略断面図である。
【図８Ａ】図８Ａは、携帯電話機の表示画面のセット角度が変えられる従来の充電器の側面図である。
【図８Ｂ】図８Ｂは、図８Ａに示した充電器の正面図である。
【発明を実施するための最良の形態】
【００１６】
以下、本発明の実施例につき、図面を参照しながら詳述する。なお、本発明は開示したこれらの実施例に限定されるものではない。【００１７】
（第１の実施例）
図１は、本発明の携帯電話機用卓上充電器ホルダの第１の実施例について示したものである。この図１には、携帯電話機７が卓上充電器ホルダ１にセットされる直前の状態が示されている。携帯電話機７は、テレビ信号などを受信し視聴する機能を有するものである。携帯電話機７の表示部８は縦長である。携帯電話機７の下部には、内蔵されている蓄電器（図示していない）を充電するための充電端子１５ａ、１５ｂと、ホルダ部２に設けられている突起部４ａ、４ｂと嵌合するための嵌合部１４ａ、１４ｂが設けられている。【００１８】
携帯電話機用の卓上充電器ホルダ１は、大きく分けて、携帯電話機７を収容するホルダ部２と、ホルダ部２を支持する台座３とからなる。ホルダ部２は、携帯電話機７がちょうど収納できる大きさであり、収納スペースの形状は略長方形であり、短いほうの２辺がちょうど携帯電話機７の上部と下部に対応するように構成されている。そのうちの一辺側には携帯電話機７の嵌合部１４ａ、１４ｂと充電端子１５ａ、１５ｂにそれぞれ対応する位置に、前述の突起部４ａ、４ｂと携帯電話機７に内蔵されている蓄電池を充電するための電極端子６ａ、６ｂが設けられている。他の一辺側には携帯電話機７を押圧して、突起部４ａ、４ｂが携帯電話機７の嵌合部１４ａ、１４ｂに嵌合して携帯電話機７を保持及び固定し、また電極端子６ａ、６ｂが充電端子１５ａ、１５ｂに接触して充電が開始できるように、フック５が設けられている。フック５は弾性部材５ａ（図２Ａ参照）、例えばバネを用いて、携帯電話機７を付勢するように構成されている。このような構成を採用することにより、携帯電話機７をホルダ部２に確実にセットできると共に、携帯電話機７の表示部８でテレビを観ながら確実に充電もできることになる。【００１９】
図２Ａ及び図２Ｂに、携帯電話機７の表示部８が天井を向くように携帯電話機７を卓上充電器ホルダ１にセットした状態の断面を示す。但し、各断面はホルダ部２を保持及び固定するための凸部１０を含むような位置で切断した場合を想定している。更に、図３Ａ及び図３Ｂに、携帯電話機７の表示部８が正面を向くように携帯電話機７を卓上充電器ホルダ１にセットした状態を示す。図３Ｂの断面もまた、凸部１０の部分で切断した場合を想定している。【００２０】
台座３は、台座３の底面を形成する底部３ａと、台座３の両側面を形成する２つの側壁３ｂとを有している。底部３ａは略長方形状をしている。側壁３ｂは略三角形状をしており、底部３ａの両端から底部３ａに対して略垂直な方向にのびている。２つの側壁３ｂにおける向かい合う面には円柱状の軸部９が突設されている。この軸部９はホルダ部２の両側面のそれぞれの略中央に設けられた孔部１６に嵌合し、ホルダ部２がこの軸部９を中心に約１／４周だけ回動するように構成されている。即ち、ホルダ部２の回動可能化手段は、台座３に設けられた軸部９とホルダ部２に設けられた孔部１６からなり、図２Ａ及び図２Ｂでは回動可能な範囲は、ホルダ部２にセットした携帯電話機７の表示部８が天井から正面を向く範囲であり、途中任意の場所で後述する凸部１０と凹部１２とにより止められるように構成されている。この凸部１０と凹部１２は、ホルダ部２の台座に対する回動角度を保持及び固定する保持固定手段を構成する。【００２１】
前記軸部９は、図２Ｂに示すように、台座３の略三角形状の側壁３ｂの頂上付近に設けられている。軸部９の太さ、材質は、ホルダ部の大きさや重量を考慮して適宜決めることができる。軸部９と孔部１６とにより、安価で簡単にホルダ部２を台座３に対して回動可能とすることができる。【００２２】
フック５は、弾性部材５ａ、例えばバネにより携帯電話機７を電極端子６ａ側に付勢するように構成されている。ここでは、携帯電話機７の上部に溝部１７が設けられ、この溝部１７を利用して携帯電話機７を付勢するようになっている。その付勢が効率良く行われるように、フック５の先端形状、大きさ及び溝部１７の大きさなどが適宜設計されている。フック５の材質は、携帯電話機７の溝部１７に当接するため、ゴム製或いはプラスチック樹脂製が望ましい。【００２３】
ホルダ部２内には、携帯電話機７に内蔵される蓄電器を充電するための回路パネル１１、電極端子６ａ、６ｂが設けられている。回路パネル１１と電極端子６ａ、６ｂはワイヤにより接続され、また回路パネル１１にはビニールコードが接続され、その先端には家庭用１００Ｖのコンセントに接続するためのプラグが接続されている。ワイヤやビニールコードは、ホルダ部２の回動に支障がないように構成されている。【００２４】
本実施例の特徴の一つはホルダ部２の回動角度を保持及び固定する保持固定手段である。図２Ａ及び図２Ｂでは、この保持固定手段はホルダ部２に設けられた凹部１２と台座３に設けられた凸部１０とにより構成されている。【００２５】
凸部１０は台座３の底部３ａの中央部に設けられている。凸部１０の先端は丸みを帯びている。凸部１０はその下部に設けられたバネなどの弾性部材１０ａにより付勢されて、ホルダ部２の底面１３に設けられた凹部１２と当接するように構成されている。【００２６】
ホルダ部２の底面１３は一角部が切り落とされて円筒面状に形成されている。図２Ｂでは、ホルダ部２の底面１３は約１／４周の円周面状に形成されている。ホルダ部２の底面１３の円筒面状部分における凸部１０ａとの対向位置に凹部１２が設けられている。より具体的に言うと、凹部１２はホルダ部２を回動させたときに凸部１０と対向する底面１３のライン上に所定の間隔で複数設けられている。図２Ｂでは合計１１個の凹部１２が設けられているが、凹部１２の数は１１個に限定されない。凹部１２は皿状であって、凸部１０が弾性部材１０ａにより付勢されて当該凹部１２に当接した状態でホルダ２に回動させる力を印加した場合に、凸部１０は当該凹部１２から隣りの凹部１２に円滑に移動する。なお、凹部１２は必ずしも皿状である必要はなく、凸部１０の先端形状やバネの力などを考慮して適宜決定することができる。【００２７】
このように、凹部１２に凸部１０が当接して、ホルダ部２の回動角度が固定される。そして、ホルダ部２を現在保持及び固定している位置から回動させようとする場合、凸部１０を凹部１２に当接させている弾性部材１０ａによる力よりも大きな回動力をホルダ部２に印加すれば、容易にホルダ部２を回動（移動）させることが可能である。図２Ｂでは、この状態から左回りに略９０度ホルダ部２が回動することとなる。【００２８】
台座３の断面形状は、図２Ｂに示すように、凸部１０と凹部１２が具合良く当接できるように、左半分はホルダ部２の略１／４周の円筒面に合わせた形状になっている。なお、ホルダ部２を右にも９０度回動させる場合には、略１／４周の円筒面を略１／２周の円筒面とし、台座３の凸部１０から右半分もその略１／２周の円筒面に合わせた形状にすれば良い。【００２９】
前述のように、ホルダ部２の回動可能化手段を構成する軸部９が、三角形状をした台座３の側壁３ｂの頂上付近に設けられ、この軸部９に嵌合する孔部１６が、ホルダ部２の側面の略中央に設けられている。これにより、携帯電話機７をホルダ部２に収納したとき、重心の位置が台座３の底部３ａの面上或いはホルダ２の略回動軸上に存在するため、動作の安定性が極めて良好となる。しかし、軸部９及び孔部１６の位置は、これには限定されない。例えば台座３の側壁３ｂが長方形状をしている場合、前記重心の位置が台座３の底部３ａの面上となる範囲内で、軸部９を側壁３ｂ上部のいずれかの位置に設定することができる。また、重心の位置が台座３の底部３ａの面上或いはホルダ２の略回動軸上に存在するように、ホルダ部２の材質、重量などを適宜選択することができる。【００３０】
本実施例の卓上充電器ホルダ１の使い方は非常に簡単である。携帯電話機７をホルダ部２にセットし、軸部９を中心にしてホルダ部２を回動させ、表示部８がちょうど見易い角度になるようにする。図３Ｂは、表示部８が略正面になる位置でホルダ部２をセットした状態を示す。この状態から右に略９０度回動させると、図２Ｂの状態になる。前述のように、携帯電話機７をホルダ部２に収納したときの重心の位置は、台座３の底部３ａの面上或いはホルダ２の略回動軸上、即ち軸部９間を結ぶ線上に存在するため、非常に安定で使い勝手が良い。更に、表示部８の中央の位置は、ホルダ部２を回動させても略変化しないので、これも使い勝手の良い点である。【００３１】
（第２の実施例）
図４は、本発明の携帯電話機用卓上充電器ホルダの第２の実施例について示したものである。この図４には、携帯電話機７が卓上充電器ホルダ１ａにセットされる直前の状態が示されている。図５に、携帯電話機７を卓上充電器ホルダ１ａにセットした状態を示す。【００３２】
第１の実施例との違いは、ホルダ部２の回動角度を保持及び固定する保持固定手段である。その他の構成は第１の実施例と同じであるので説明は省略する。保持固定手段を構成するものは凹部２１と凸部２０であり、第１の実施例とは、それらが設けられている位置、大きさが異なっている。【００３３】
凸部２０は、ホルダ部２の側面における孔部１６の近傍に設けられている。第１の実施例と同様に、バネなどの弾性部材２０ａにより凸部２０が突出するように構成されている。凹部２１は台座３の側壁３ｂにおける凸部２０との対向位置に設けられている。より具体的に言うなら、孔部１６と凸部２０との距離をｒとすると、凹部２１は側壁３ｂにおける軸部９を中心とした半径ｒの円周上に所定の間隔で複数設けられる。凸部２０は弾性部材２０ａにより付勢され凹部２１の一つに当接され、ホルダ部２の回動角度が保持及び固定される。なお、図４では、卓上充電器ホルダ１ａの片側にのみ凹部２１と凸部２０とからなる保持固定手段が設けられているが、両側に設けられていても構わない。【００３４】
本実施例の卓上充電器ホルダ１ａも、携帯電話機７をホルダ部２に収納したときの重心の位置は、台座３の底部３ａの面上或いはホルダ２の略回動軸上、即ち軸部９間を結ぶ線上に存在するため、非常に安定で使い勝手が良い。更に、表示部８の中央の位置は、ホルダ部２を回動させても略変化しないので、これも使い勝手の良い点である。
【産業上の利用可能性】
【００３５】
本発明の携帯電話用の卓上充電器ホルダは、テレビ信号などを受信し視聴する機能を有する携帯電話機用の卓上充電器ホルダに関するものであり、そのような機能を有している携帯電話機であれば適用することが可能である。
【図１】
0005206406.tif 000002
【図２Ａ】
0005206406.tif 000003
【図２Ｂ】
0005206406.tif 000004
【図３Ａ】
0005206406.tif 000005
【図３Ｂ】
0005206406.tif 000006
【図４】
0005206406.tif 000007
【図５】
0005206406.tif 000008
【図６Ａ】
0005206406.tif 000009
【図６Ｂ】
0005206406.tif 000010
【図７】
0005206406.tif 000011
【図８Ａ】
0005206406.tif 000012
【図８Ｂ】
0005206406.tif 000013